(57)【要約】【課題】１フィールドの画像を複数のサブフィールド画像に分割して階調表示を行うに際して、画像の動画領域に生ずる疑似輪郭線を低減する。【解決手段】本発明の画像表示装置は、動画擬似輪郭が発生しない第１の階調の間に、階調数の減少を抑制するために必要な第２の階調を設定し、画像信号の出力を第１および第２の階調とに制限する階調制限回路１７と、画像信号に依存して決定した各ディザ要素を用いて画像信号のディザ処理を行うディザ処理回路１９とを有し、画像表示装置の各画素が実際に表示する階調を、動画擬似輪郭の発生しない第１の階調のみとした。【選択図】　図１
2004138783.tif 000002
【特許請求の範囲】
【請求項１】
１フィールドを複数のサブフィールドで構成し各サブフィールドを発光または非発光制御することにより多階調表示する画像表示装置であって、
間隔が等間隔でない第１の階調および前記第１の階調の各階調間を（ｎ×ｍ）等分するように設定された第２の階調のうちのいずれかに属する階調に出力を制限する階調制限回路と、
前記階調制限回路で制限された画像信号に依存して決定した各ディザ要素を用いて前記画像信号のディザ処理を行うディザ処理回路とを有し、
前記ディザ処理回路はｎ画素×ｍラインの大きさを持つ複数のディザマトリクス配列の中から１つのディザマトリクス配列をｎ画素毎およびｍライン毎にランダムに選択する画像表示装置。
【請求項２】
前記第１の階調は、発光させるサブフィールドより小さい重みを持つ全てのサブフィールドが発光する階調であることを特徴とする請求項１記載の画像表示装置。
【請求項３】
前記ディザマトリクス配列は２画素×２ラインの大きさであって、４つのディザ要素を降順に並べたときに前半に入るディザ要素と後半に入るディザ要素とを市松状に配置することを特徴とする請求項１または請求項２記載の画像表示装置。
【請求項４】
前記ディザ処理回路はフィールド毎に複数のディザマトリクス配列群の中から１つのディザマトリクス配列群を選択することを特徴とする請求項３に記載の画像表示装置。
【請求項５】
前記階調制限回路は、画像信号出力を前記第１の階調あるいは前記第２の階調のいずれかに属する階調に制限するとともに、制限によって生じた差分を表示誤差として周辺画素に所定の比率で誤差拡散させることを特徴とする請求項１から請求項４までのいずれかに記載の画像表示装置。
【発明の詳細な説明】
【０００１】
【発明の属する技術分野】
本発明は、プラズマデスプレイパネル（ＰＤＰ）やデジタルミラーデバイス（ＤＭＤ）等、１フィールドの画像を複数のサブフィールド画像に分割して多階調表示を行う画像表示装置に関する。
【０００２】
【従来の技術】
ＰＤＰやＤＭＤ等、発光あるいは非発光の２値制御を行う画像表示装置は、サブフィールド法を用いて中間調表示を行うことが多い。サブフィールド法は、発光回数あるいは発光量で重み付けされた複数のサブフィールドを用いて１フィールドを時間分割し、各サブフィールド毎に各画素の２値制御を行う。すなわち、各サブフィールドは所定の輝度重みを持ち、発光するサブフィールドの重みの合計によって階調表示を行う方法である。
【０００３】
図１７にＰＤＰにおけるサブフィールドの構成の一例を示す。この例では、１フィールドが８つのサブフィールド（ＳＦ１、ＳＦ２、・・・、ＳＦ８）に分割され、それぞれのサブフィールドは（１、２、４、８、１６、３２、６４、１２８）の輝度重みを持っている。各サブフィールドは、予備放電を行うセットアップ期間Ｔ１と、画素毎に発光か非発光かのデータ書き込みを行う書き込み期間Ｔ２と、発光データの書き込まれた画素を一斉に発光させる維持期間Ｔ３とからなる。これらのサブフィールドを種々組み合わせて発光させることにより、「０」から「２５５」までの２５６段階の階調を表現できる。例えば、階調「７」は、輝度重み１、２、４を持つＳＦ１、ＳＦ２、ＳＦ３を発光させることにより表現でき、階調「２１」は、輝度重み１、４、１６を持つＳＦ１、ＳＦ３、ＳＦ５を発光させることにより表現できる。
【０００４】
このようなサブフィールド法を用いて多階調表示を行う表示装置においては、動画表示中に疑似輪郭（動画擬似輪郭）が現れ画質を劣化させることが知られている。以下に、この動画擬似輪郭について説明する。ここでも１フィールドは（１、２、４、８、１６、３２、６４、１２８）と重み付けられた８つのサブフィールド（ＳＦ１〜ＳＦ８）に分割されていると仮定する。図１８に示すように、画像パターンＸがＰＤＰ３３の画面上を水平方向に移動する場合を考える。画像パターンＸは、階調が「１２７」である領域Ｐ１と、階調が「１２８」である領域Ｐ２とからなる。図１９は、画像パターンＸをサブフィールドに展開した図であり、横軸はＰＤＰ３３の画面上の水平方向画面位置に対応し、縦軸は時間方向に対応する。また、図１９中のハッチングは発光するサブフィールドを示している。
【０００５】
画像パターンＸが静止している場合、図１９に示すように、人間の視線もが画面位置Ａに固定されるため画素本来の階調「１２７」と「１２８」が認識される。ところが、画像パターンＸが左方向に移動すると、視線も画面位置Ｂ−Ｂ’方向に移動するため、領域Ｐ２の非発光サブフィールドと領域Ｐ１の非発光サブフィールドとを見ることになり、その結果、階調「０」、すなわち暗線を認識する。逆に、画像パターンＸが右方向に移動すると、視線も画面位置Ｃ−Ｃ’と移動するため、領域Ｐ１の発光サブフィールドと領域Ｐ２の発光サブフィールドとを見ることとなって、階調「２５５」、すなわち明線を認識してしまう。いずれにしても、本来の階調（１２７または１２８）とは大幅に異なるため、これらが輪郭として認識される。このように擬似輪郭は、階調の変化はわずかであるにもかかわらず発光するサブフィールドのパターンの変化が大きいところで発生する。例えば上記のような重み付けのサブフィールドを用いた場合、隣接する画素の輝度階調が「６３」と「６４」の場合、あるいは「１９１」と「１９２」等の場合にも顕著に観測される。このような擬似輪郭を疑似輪郭ノイズ（「パルス幅変調動画表示に見られる疑似輪郭ノイズ」：テレビジョン学会技術報告、Ｖｏｌ．１９、Ｎｏ．２、ＩＤＹ９５−２１、ｐｐ．６１−６６）と言い、画質を劣化させる原因となっている。
【０００６】
そこで動画疑似輪郭を抑制する方法として、例えば、動画擬似輪郭が発生しにくい「第１の階調」とその「中間の階調」に画像信号の階調を変換し、変換によって生じた誤差を周辺画素に拡散することで階調の飛びを補間する。次に、変換された階調が「中間の階調」である場合には、最も近い「第１の階調」へ切上げあるいは切下げを行う。ドット毎、ライン毎、フィールド毎に切上げと切下げとを交互に繰り返すことで、平均的に「中間の階調」を表現するという方法が提案されている（特許文献１参照）。
【０００７】
【特許文献１】
特開２０００−２７６１００号公報
【０００８】
【発明が解決しようとする課題】
しかしながら、このような方法では、大きい動画疑似輪郭が発生する階調付近での階調数の減少が避けられない。つまり、動画疑似輪郭を抑制すると階調数が不足し視覚的にはざらついた感じの画像になり、逆に階調数を確保すると動画擬輪郭が発生するという課題があった。
【０００９】
本発明の目的は、十分な階調を確保しつつ、動画疑似輪郭を抑制することのできる画像表示装置を提供することである。
【００１０】
【課題を解決するための手段】
以上の課題を解決するために本発明の表示装置は、動画擬似輪郭が発生しないかあるいは無視できる第１の階調の間に、階調数の減少を抑制するために必要な複数の第２の階調を設定し、画像信号の出力を第１および第２の階調とに制限する階調制限回路と、画像信号に依存して決定した各ディザ要素を用いて画像信号のディザ処理を行うディザ処理回路とを有し、ディザ処理回路は複数のディザマトリクス配列をランダムに選択することを特徴とする。
【００１１】
【発明の実施の形態】
すなわち本発明の請求項１に記載の発明は、１フィールドを複数のサブフィールドで構成し各サブフィールドを発光または非発光制御することにより多階調表示する表示装置であって、間隔が等間隔でない第１の階調および第１の階調の各階調間を（ｎ×ｍ）等分するように設定された第２の階調のうちのいずれかに属する階調に出力を制限する階調制限回路と、階調制限回路で制限された画像信号に依存して決定した各ディザ要素を用いて画像信号のディザ処理を行うディザ処理回路とを有し、ディザ処理回路はｎ画素×ｍラインの大きさを持つ複数のディザマトリクス配列の中から１つのディザマトリクス配列をｎ画素毎およびｍライン毎にランダムに選択する画像表示装置である。
【００１２】
また、請求項２に記載の発明は、請求項１において、第１の階調が、発光させるサブフィールドより小さい重みを持つ全てのサブフィールドが発光する階調であることを特徴とする画像表示装置である。
【００１３】
また、請求項３に記載の発明は、請求項１あるいは請求項２において、ディザマトリクス配列が２画素×２ラインの大きさであって、４つのディザ要素を降順に並べたときに前半に入るディザ要素と後半に入るディザ要素とは市松状に配置することを特徴とする画像表示装置である。
【００１４】
また、請求項４に記載の発明は、請求項３において、ディザ処理回路がフィールド毎に複数のディザマトリクス配列群の中から１つのディザマトリクス配列群を選択することを特徴とする画像表示装置である。
【００１５】
また、請求項５に記載の発明は、請求項１から請求項４のいずれかにおいて、階調制限回路は、画像信号出力を第１の階調あるいは第２の階調のいずれかに属する階調に制限するとともに、制限によって生じた差分を表示誤差として周辺画素に所定の比率で誤差拡散させることを特徴とする画像表示装置である。
【００１６】
以下、本発明の一実施の形態について、図面を参照しながらその構成を動作とともに説明する。
【００１７】
（実施の形態）
図１において、アナログ−デジタル（Ａ／Ｄ）変換回路１１はＲＧＢ信号（画像信号）のＡ／Ｄ変換を行う。逆ガンマ補正回路１３はＡ／Ｄ変換された画像信号に逆ガンマ補正を行う。動き検出回路１５は入力された画像が動画であるか否かを検出する。逆ガンマ補正された画像信号は、遅延回路２１に送られるとともに、階調制限回路１７に送られる。階調制限回路１７とディザ処理回路１９は、送られてきた画像信号の階調を動画擬似輪郭が発生しない階調に変換し、かつ、擬似的に階調数を増加させる。階調制限回路１７とディザ処理回路１９については本発明の主要部分のひとつであるので後で詳細に説明する。遅延回路２１は、階調制限回路１７とディザ処理回路１９の処理時間に等しい時間だけ画像信号を遅延して出力する。選択回路２３は動き検出回路１５による検出値にもとづき、画像が動画である場合にはディザ処理回路１９の出力を選択し、静止画である場合には遅延回路２１の出力を選択する。これは、動画擬似輪郭が顕著に発生する動画時にのみ階調制限回路１７とディザ処理回路１９の処理を有効にするためである。映像信号−サブフィールド対応付け回路２５は、選択回路２３により選択された画像信号を、サブフィールドを発光させるか否かを示す複数のビットからなるフィールド情報に変換する。サブフィールド処理回路２７は、フィールド情報にもとづいて維持期間に出される維持パルスの数を決定する。走査・維持・消去駆動回路２９とデータ駆動回路３１は、サブフィールド処理回路２７からの出力にもとづき、各画素の発光量を制御して、ＰＤＰ３３上に所望の階調の画像を表示させる。タイミングパルス発生回路３５は、水平同期信号および垂直同期信号にもとづいて各種タイミング信号を発生し、表示装置内の各部へ供給する。
【００１８】
次に、本実施の形態で用いた擬似輪郭が発生しない階調について説明する。なお、本実施の形態では、図２、図３に示すように、１フィールドを９つのサブフィールド（ＳＦ１、ＳＦ２、・・・、ＳＦ９）に分割し、各サブフィールドはそれぞれ（１、２、４、８、１６、３２、４８、６４、８０）の輝度重みを持つものとする。なお、図２、図３中、各サブフィールドの欄の「１」は対応するサブフィールドが発光することを示している。
【００１９】
前述したように、動画擬似輪郭が発生しやすいのは、隣接する画素間において、階調の変化はわずかであるにもかかわらず発光するサブフィールドのパターンの変化が大きいところである。例えば、隣接する画素の階調が「６３」と「６４」の場合や、「１１１」と「１１２」等のような場合である。このとき図２、図３のサブフィールド欄を参照して、発光するサブフィールドを１、非発光サブフィールドを０とおいてＳＦ１からＳＦ９を順に並べると、階調「６３」は１１１１１１０００、「６４」は００００１０１００となり、発光するサブフィールドのパターンの変化が大きいことがわかる。階調が「１１１」（同上の表現で１１１１１１１００）と「１１２」（００００１１０１０）についても同様である。
【００２０】
そこで、本実施の形態の画像表示装置では、擬似輪郭の発生しやすい階調は表示に使用しない、あるいは同じことであるが、擬似輪郭が発生しない階調のみを第１の階調として表示に使用する。これら第１の階調としては、例えば以下の条件を満たすものである。
【００２１】
条件ａ：発光させるサブフィールドより小さい重みを持つ全てのサブフィールドが発光するような階調
この条件を満たす第１の階調を以下「表示用階調」と呼ぶ。本実施の形態においては、表示用階調は（０、１、３、７、１５、３１、６３、１１１、１７５、２５５）となる。これらの階調は図２、図３の中で「表示用階調」の欄に「●」を記して示す。例えば階調「３１」は、ＳＦ５以下の重みを持つサブフィールドが全て発光しＳＦ６以上のサブフィールドが全て非発光であるため条件ａを満たしている。これらの階調は、階調の値が増加するにつれて発光させるサブフィールド数も単調に増加していくため、表示用階調の中で値の近い階調の画素が隣接する場合、発光するサブフィールドと非発光のサブフィールドの分布に大きな変化がなくなり、動画擬似輪郭も発生しない。
【００２２】
しかしながら、このように表示用階調数を制限すると階調表現能力も同時に低下することになる。そこで本実施の形態においては、後でディザ処理回路１９を用いて擬似的に階調を４倍に増やすことを見越して、それぞれの表示用階調間を４等分するように３つの階調を第２の階調としてほぼ等間隔で挿入する。以下、第２の階調を「ディザ階調」と呼ぶ。これらは、図２、図３で「ディザ階調」の欄に「●」を記して示す。具体的には、（２、４、５、６、９、１１、１３、１９、２３、２７、３９、４７、５５、７５、８７、９９、１２７、１４３、１５９、１９５、２１５、２３５）の各階調がこれに該当する。以下、表示用階調とディザ階調をあわせて「変換階調」と呼ぶ。
【００２３】
次に、階調制限回路１７とディザ処理回路１９について詳細に説明する。
【００２４】
図４（ａ）は、階調制限回路１７の回路ブロック図である。階調制限回路１７は、階調制限テーブル５３を用いて画像信号出力を上記の変換階調に制限するとともに、入力画像信号と階調制限された信号の差を表示誤差として誤差拡散処理を行う。図４内のＴと記したブロック６５、６７、６９は１画素遅延回路、Ｈ−Ｔと記したブロック６３は１ラインマイナス１画素遅延回路を表わす。図４（ｂ）に示すように、いま、ある１つの画素Ｐ０に注目し、対応する画像信号を入力したとする。このとき画素Ｐ０の１ライン前の画素Ｐ１、Ｐ２、Ｐ３および直前画素Ｐ４の表示誤差それぞれに乗算器７７、７５、７３、７１を用いてｋ３、ｋ２、ｋ１、ｋ０の重み係数をかけ、加算器７９、５１を用いて画素Ｐ０の入力信号に加算する。そしてこの加算した信号と階調制限テーブル５３の数値、すなわち変換階調とを比較し、加算した信号に最も近い数値を画像信号として出力する。それとともに、上記加算した信号と出力した信号との差を減算器６１を用いて求め、その結果を表示誤差として、画素Ｐ０の次の画素Ｐ５と１ライン後の画素Ｐ６、Ｐ７、Ｐ８にそれぞれ重み係数ｋ０、ｋ１、ｋ２、ｋ３をかけて拡散する。ここで、各重み係数はｋ０＋ｋ１＋ｋ２＋ｋ３＝１となる値に設定されている。
【００２５】
この誤差拡散処理を画面全体に施すことにより、表示すべき階調量が保存され、画面全体を見たときに人間の目にはあたかも本来の輝度が表示されているように見える。従って、ざらつき感のない質の高い画像を表示することができる。
【００２６】
次にディザ処理回路１９について説明する。図５に示すように、ディザ処理回路はディザ要素決定回路１００、ディザマトリクス切替回路２００、ディザ要素加算回路３００から構成される。ディザ要素決定回路１００はディザ要素テーブル１０１を用いて、入力した画像信号の階調に応じたディザ要素ｄ１〜ｄ４を発生する。ディザマトリクス切替回路２００は、いくつかのディザマトリクスから最適な配列のディザマトリクスを選択し、その結果にもとづきディザ要素ｄ１〜ｄ４のうちから対応するディザ要素をディザ要素加算回路３００に出力する。ディザ要素加算回路３００は、階調制限回路１７で階調制限された画像信号とディザマトリクス切替回路２００から出力されたディザ要素信号とを加算器３０１を用いて加算した後、表示用階調変換回路３０２で、この加算した画像信号を超えない最大の表示用階調に変換する。
【００２７】
ここで、図２、図３のディザ要素の欄を参照しながら、ディザ要素の値の決め方について説明する。本実施の形態では２画素×２ラインのディザマトリクスを用いているので、各々のディザ階調に対し４つのディザ要素ｄ１〜ｄ４決定する必要がある。まず、表示用階調に対しては全てのディザ要素を「０」とおく（図２、図３には記載せず）。次に、表示用階調間を４等分するために挿入された３つのディザ階調のうち、最も小さい階調に対しては４つのディザ要素のうち３つを「０」に、２番目に小さい階調に対しては２つを「０」に、３番目に小さい階調に対しては１つを「０」にする。「０」でないものについては表示用階調のうち当該階調以上で最も小さい階調と当該階調との差とする。例えば、ディザ階調が「１１」である場合は、表示用階調「７」と「１５」の間に挿入された３つのディザ階調「９」、「１１」、「１３」のうち２番目に小さいのでｄ１＝０、ｄ２＝０となり、「１１」以上で最も小さい表示用階調「１５」と当該階調「１１」との差は４であるので、ｄ３＝４、ｄ４＝４である。従ってこの場合、続くディザ要素加算回路３００で「０」を加算され、表示用階調に変換された後「７」となる確率は２／４であり、「４」を加算され表示用階調変換後「１５」となる確率は２／４であり平均的に７×２／４＋１５×２／４＝１１が表現される。このように、もとのディザ階調「１１」を表示用階調のみで疑似的に表現することができる。また、例えばディザ階調が「４」である場合は、ｄ１＝ｄ２＝ｄ３＝０、ｄ４＝３となり、平均的に３×３／４＋７×１／４＝４が表現される。ただし、ディザ階調「２」に対しては、表示用階調である「１」と「３」との間は４等分できないのでディザ要素は１／２の確率で「３」となり、１／２の確率で「１」となるように設定されている。
【００２８】
次にディザマトリクス切替回路２００について詳細に説明する。図６にディザマトリクス切替回路２００の構成例を示す。図６に示す４つのディザ要素セレクタ２０１、２０２、２０３、２０４は、画素毎に反転する画素反転信号とライン毎に反転するライン反転信号によって４つのディザ要素を適宜切替える。このとき、ディザ要素セレクタ２０１は２画素×２ラインのディザマトリクスの配列が図７（ａ）に示す並びになるように切替える。また、ディザ要素セレクタ２０２はディザマトリクスの配列が図７（ｂ）に示す並びになるように切替える。以下、図７（ａ）と図７（ｂ）に示すディザマトリクス配列を第１のディザマトリクス配列群と呼ぶ。これら第１のディザマトリクス配列群に属するディザマトリクス配列は図７（ｃ）に示すように４つのディザ要素のうち大きい方から２つを右上と左下に配置している。ディザ要素セレクタ２０３および２０４はそれぞれディザマトリクスの配列が図７（ｅ）および（ｆ）に示す並びになるように切替える。以下、図７（ｅ）と図７（ｆ）に示すディザマトリクス配列を第２のディザマトリクス配列群と呼ぶ。これら第２のディザマトリクス配列群に属するディザマトリクス配列は図７（ｇ）に示すように４つのディザ要素のうち大きい方から２つを左上と右下に配置している。
【００２９】
また、図６に示す乱数発生器２０５は、２画素×２ラインの画素ブロック内で同一の値を取るような１ビットの乱数を発生する。この乱数を用いてセレクタ２０６は第１のディザマトリクス配列群のうちのいずれかのディザマトリクス配列を選択し、セレクタ２０７は第２のディザマトリクス配列群のいずれかのディザマトリクス配列を選択する。次にセレクタ２０８は、フィールド毎に反転するフィールド反転信号を用いてフィールド毎に第１のディザマトリクス配列群に属するディザマトリクス配列と第２のディザマトリクス配列群に属するディザマトリクス配列を交互に選択して出力する。
【００３０】
その結果、ディザマトリクス切替回路２００は、最初のフィールドでは第１のディザマトリクス配列群に属するディザマトリクス配列をランダムに選択して図７（ｄ）のように画面全体に敷き詰め、各画素に対応するディザ要素を出力する。また、これに続くフィールドでは第２のディザマトリクス配列群に属するディザマトリクス配列をランダムに選択して図７（ｈ）のように画面全体に敷き詰め、各画素に対応するディザ要素を出力する。
【００３１】
このように、第１のディザマトリクス配列群に属するディザマトリクス配列と第２のディザマトリクス配列群に属するディザマトリクス配列をフィールド毎に交互に使用する理由は以下の通りである。例えば図８（ａ）のディザマトリクスのみを用いて、図８（ｂ）のように広い範囲でディザ階調である「４」を表示する場合を考える。ディザ階調「４」に対応するディザ要素はｄ１〜ｄ３が「０」であり、ｄ４は「３」であるので、これらを画像信号に加算し、表示用階調をしきい値として切り捨てを行うと図８（ｃ）となる。このように各画素の平均としては「４」を表示しているが「７」の画素が垂直、水平方向に固定パターンとして規則的に並ぶため、例えばざらつき感等の違和感を生じてしまう。たとえこれを改善するために図９（ａ）から図９（ｄ）のようにフィールド毎に加算するディザ要素の位置を交番させたとしても、やはり図９（ｅ）から図９（ｈ）に示すように、何らかの規則的なパターンが観測されるため、違和感が解消できない。このように、単一のディザマトリクス、あるいは周期的にいくつかのディザマトリクスを切替えて、画面の広い範囲に同一のディザ階調を表示する際に、ディザ拡散処理に特有の固定パターンが発生してしまう。
【００３２】
本実施の形態では、第１のディザマトリクス配列群に属するディザマトリクス配列と第２のディザマトリクス配列群に属するディザマトリクス配列をそれぞれランダムに選択し使用するため、上述のような固定パターンは発生しにくい。例えば、上記と同様に、広い範囲でディザ階調である「４」を表示する場合を考える。このとき最初のフィールドでは、ディザマトリクスを敷き詰めたものは、例えば図７（ｄ）となり、ディザ要素加算後切り捨てを行った結果が図１０（ａ）である。同様に次のフィールドではこの結果が図１０（ｂ）である。
【００３３】
この場合は図８（ｃ）と異なり「７」が規則的に並んでいないために固定パターンが発生せず視覚的にも違和感が生じない。また、「７」同士が隣接する場合は斜め方向となるが、人間の視覚特性は斜め方向の解像度が低いために、「７」が並ぶことによる違和感はほとんど生じない。さらに、第１のディザマトリクス配列群と第２のディザマトリクス配列群をフィールド毎に交互に使用することによって、「７」が斜めに隣接して並ぶ向きが逆方向になる。従って視覚的に平均されるので、いっそう規則的なパターンが観測されにくくなり、ディザ階調が違和感なく再現される。従って、画像のざらつきがなく質の高い画像が表現できる。
【００３４】
なお、本実施の形態の表示装置においては、擬似輪郭が発生しない階調として条件ａを満たす階調、すなわち
条件ａ：発光させるサブフィールドより小さい重みを持つ全てのサブフィールドが発光するような階調
のみを用いたが、この条件を少し緩め、
条件ｂ：発光させるサブフィールドより小さい重みを持つ全てのサブフィールドのうち、発光しないサブフィールドが１つ有ってもよい
としてもよい。あるいはさらに条件を緩め、
条件ｃ：発光させるサブフィールドより小さい重みを持つ全てのサブフィールドのうち、発光しないサブフィールドが２つまで有ってもよい
としてもよい。ただし、動画擬似輪郭を抑制するためには無制限に条件を緩めることはできない。
【００３５】
条件ｂ、条件ｃを満たす階調の数は条件ａを満たす階調の数よりも多くなるため、より多段階の階調表現が可能となる。条件ｂ、条件ｃを満たす階調を擬似輪郭が発生しにくいあるいは発生しても無視できる階調として用いても、隣接する画素間において発光／非発光のサブフィールドの分布に大きな変化は発生しない。条件ｂを用いた場合の表示用階調、ディザ階調およびディザ要素の例を図１１、図１２に示す。これらの階調は、図１１、図１２中の「表示用階調」の欄に「●」で示されている。この場合、図２、図３で示される条件ａの階調に加えて、（２、５、６、１１、１３、１４、・・・、２５１、２５３、２５４）の階調が表示用階調として使用できる。例えば、図１１において階調「１４」を見ると、この階調を表示するときに発光させるサブフィールドのうち最大重みのサブフィールドはＳＦ４であり、かつ、発光していないサブフィールドが１つ（ＳＦ１）あるため、階調「１４」が条件ｂを満たしていることがわかる。
【００３６】
以上のような条件を満たす階調のみを用いて階調表示を行うことにより、隣接する画素間において上位のサブフィールドと下位のサブフィールドの発光／非発光が逆転することがなくなり、動画擬似輪郭の発生が抑制できる。
【００３７】
さらに、下位のサブフィールドは重みが小さく動画擬似輪郭に対する影響も少ないと考えられるので、上記の条件ａ、条件ｂおよび条件ｃの場合において、例えば最下位のサブフィールドについては考慮しなくてもよい。例えば、条件ａで階調を求める際に、最下位のサブフィールド（ＳＦ１）を除いたサブフィールドが全て発光する階調を表示用階調としてもよい。あるいは、ＳＦ１とＳＦ２、もしくはＳＦ１〜ＳＦ３までを除くようにしてもよい。
【００３８】
なお、本実施の形態では、階調制限回路１７からディザ処理回路１９へ画像信号とともに４つのディザ要素を渡していた。１つのディザ要素に対して６ビット程度必要であるので、４つのディザ要素では全部で２４ビットが必要となる。これに対して、４つのディザマトリクスに含まれる「０」の個数と「０」でない要素の値をディザ処理回路に渡すという構成にすることも考えられる。「０」の個数は１〜４個であるので、２ビットで足りる。従って必要なビット数は全部で８ビットとなるので、回路規模を小さく抑えることができる。
【００３９】
また、本実施の形態では４つのディザ要素（ｄ１〜ｄ４）を図２、図３のように設定したが、図１３、１４のように設定することもできる。この場合は複数の変換階調にわたって同じディザ要素の値を使用するので、ディザ要素を格納するためのメモリ領域を節約することが可能である。
【００４０】
さらにまた、図１５、図１６のようにディザ要素を設定すれば、ディザ要素を加算することにより、［繰り上がる」か「繰り下がる」かのいずれかが所定の確率で発生することになる。従って、ディザ要素を加算した後には必ず表示用階調となっているので、図５の表示用階調変換回路３０２は不要となる。
【００４１】
以上のように、本実施形態の表示装置は、画素本来の階調を動画擬似輪郭が発生しないかあるいは無視できる表示用階調に変換し、この表示用階調のみを用いて多階調表示を行うことにより動画擬似輪郭の発生を抑制することができる。
【００４２】
なお、以上では、説明の簡単化のために１つの色について説明を行ったが、Ｒ（赤）、Ｇ（緑）、Ｂ（青）の各色を用いたカラー表示においても本発明は同様に適用できる。
【００４３】
また、本実施の形態では、ディザマトリクスの大きさを２画素×２ラインとしたが、ｎ画素×ｍラインの任意の大きさのディザマトリクスを用いてもよく、この場合はｎ×ｍ倍のディザ階調を表示用階調間に設定できるため、擬似的に表現できる階調数を任意に増やすことができる。
【００４４】
【発明の効果】
本発明の表示装置は、動画疑似輪郭が発生しないかあるいは無視できる表示用階調のみを用いて表示するので、動画疑似輪郭の発生により画質が劣化することを防ぐことができる。さらに表示用階調間を４等分するディザ階調を設定し、ディザ処理を用いてこれらの階調をも疑似的に表現できるため、階調数が大きく減少して画質が劣化することを防ぐことができる。また、複数種類のディザマトリクスをランダムに用いることによりディザ処理特有の固定パターンによる画質劣化が少ない。
【図面の簡単な説明】
【図１】本発明の実施の形態における画像表示装置の回路ブロック図
【図２】本発明の実施の形態における表示用階調選択の条件ａに合致する表示用階調、ディザ階調、ディザ要素を示す図
【図３】本発明の実施の形態における表示用階調選択の条件ａに合致する表示用階調、ディザ階調、ディザ要素を示す図
【図４】（ａ）は本発明の実施の形態における階調制限回路の回路ブロック図（ｂ）は本発明の実施の形態における階調制限回路の動作説明図
【図５】本発明の実施の形態におけるディザ処理回路の回路ブロック図
【図６】本発明の実施の形態におけるディザマトリクス切替回路の構成の例を示す図
【図７】本発明の実施の形態におけるディザ処理回路の動作説明図
【図８】ディザ処理により固定パターンが発生する理由を説明する図
【図９】ディザ処理により規則的なパターンが発生する理由を説明する図
【図１０】本発明の実施の形態で使用するディザ処理の説明図
【図１１】表示用階調選択の条件ｂに合致する表示用階調、ディザ階調、ディザ要素を示す図
【図１２】表示用階調選択の条件ｂに合致する表示用階調、ディザ階調、ディザ要素を示す図
【図１３】４つの変換階調に対して１種類のディザマトリクスを設定する場合の表示用階調、ディザ階調、ディザ要素を示す図
【図１４】４つの変換階調に対して１種類のディザマトリクスを設定する場合の表示用階調、ディザ階調、ディザ要素を示す図
【図１５】ディザ処理後に表示用階調変換回路を不要とするための表示用階調、ディザ階調、ディザ要素を示す図
【図１６】ディザ処理後に表示用階調変換回路を不要とするための表示用階調、ディザ階調、ディザ要素を示す図
【図１７】ＰＤＰにおけるサブフィールドの構成の一例を示す図
【図１８】動画擬似輪郭の説明図
【図１９】画像パターンＸをサブフィールドに展開した図
【符号の説明】
１１　Ａ／Ｄ変換回路
１３　逆ガンマ補正回路
１５　動き検出回路
１７　階調制限回路
１９　ディザ処理回路
２１　遅延回路
２３　選択回路
３３　プラズマディスプレイパネル（ＰＤＰ）
３５　タイミングパルス発生回路
５３　階調制限テーブル
１０１　ディザ要素テーブル
２０１，２０２，２０３，２０４　ディザ要素セレクタ
２０５　乱数発生器
２０６，２０７，２０８　セレクタ
３０１　加算器
３０２　表示用階調変換回路
【図１】
2004138783.tif 000003
【図２】
2004138783.tif 000004
【図３】
2004138783.tif 000005
【図４】
2004138783.tif 000006
【図５】
2004138783.tif 000007
【図６】
2004138783.tif 000008
【図７】
2004138783.tif 000009
【図８】
2004138783.tif 000010
【図９】
2004138783.tif 000011
【図１０】
2004138783.tif 000012
【図１１】
2004138783.tif 000013
【図１２】
2004138783.tif 000014
【図１３】
2004138783.tif 000015
【図１４】
2004138783.tif 000016
【図１５】
2004138783.tif 000017
【図１６】
2004138783.tif 000018
【図１７】
2004138783.tif 000019
【図１８】
2004138783.tif 000020
【図１９】
2004138783.tif 000021